(57)【要約】【課題】映像の超高精細度化に際して、ロゴデータの運用を拡張し、柔軟性及び伝送効率を向上させる。【解決手段】実施形態では、MH-CDTの１セクションを超える大きさで、１つのロゴ識別につきタイプの異なる任意個数のロゴデータを多重伝送するシステムにおいて、ロゴデータをロゴ識別、ロゴのタイプごとにモジュール化し、モジュール化されたロゴデータをMH-CDTの複数のMH-CDTセクションに分配し、ロゴデータのタイプと分配先のMH-CDTセクションとの対応関係を示すロゴデータ分配情報と、ロゴデータのロゴ識別及びロゴのタイプを含むロゴ管理情報とを示すMH-ロゴ伝送記述子を生成し、MH-ロゴ伝送記述子をMH-SDTの記述子領域に記述し、MH-CDT及びMH-SDTを放送信号に多重して送出する。【選択図】図１
2019186948.tif 000002
【特許請求の範囲】
【請求項１】
MH-CDT（MH-Common Data Table）の１セクションを超える大きさで、１つのロゴ識別につきタイプの異なる任意個数のロゴデータを多重伝送可能なデジタルテレビジョン放送システムであって、
前記ロゴデータを前記ロゴ識別、ロゴのタイプごとにモジュール化し、モジュール化されたロゴデータを前記MH-CDTの複数のMH-CDTセクションに分配し、前記ロゴデータのタイプと分配先のMH-CDTセクションとの対応関係を示すロゴデータ分配情報と、前記ロゴデータのロゴ識別及びロゴのタイプを含むロゴ管理情報とを示すMH-ロゴ伝送記述子を生成し、前記MH-ロゴ伝送記述子をMH-SDT（Service Description Table）の記述子領域に記述し、前記MH-CDT及びMH-SDTを放送信号に多重して送出する送信系統と、
前記放送信号を受信し、受信された放送信号から前記MH-SDTを取得し、取得されたMH-SDTから前記MH-ロゴ伝送記述子を抽出して前記ロゴ管理情報及び前記ロゴデータ分配情報を取得し、取得されたロゴ管理情報及び前記ロゴデータ分配情報に基づいて所望のタイプのロゴデータが配置された前記MH-CDTセクションを取得し、MH-CDTに分配される複数のMH-CDTセクションから前記モジュール化されたロゴ識別、ロゴのタイプごとのロゴデータを取得する受信系統と
を具備するデジタルテレビジョン放送システム。
【請求項２】
MH-CDT（MH-Common Data Table）の１セクションを超える大きさで、１つのロゴ識別につきタイプの異なる任意個数のロゴデータを多重伝送可能なデジタルテレビジョン放送システムに用いられる送信装置であって、
前記ロゴデータを前記ロゴ識別、ロゴのタイプごとにモジュール化するモジュール化部と、
前記モジュール化部でモジュール化されたロゴデータを前記MH-CDTの複数のMH-CDTセクションに分配するMH-CDTセクション化部と、
前記ロゴデータのタイプと分配先のMH-CDTセクションとの対応関係を示すロゴデータ分配情報と、前記ロゴデータのロゴ識別及びロゴのタイプを含むロゴ管理情報とを示すMH-ロゴ伝送記述子を生成するMH-ロゴ伝送記述子生成部と、
前記MH-ロゴ伝送記述子をMH-SDT（Service Description Table）の記述子領域に記述するMH-SDTセクション化部と、
前記MH-CDTセクション化部、前記MH-SDTセクション化部で生成されたMH-CDT及びMH-SDTを放送信号に多重する多重化部と
を具備し、
前記多重化部で得られた放送信号を送出するデジタルテレビジョン放送用送信装置。
【請求項３】
MH-CDT（MH-Common Data Table）の１セクションを超える大きさで、１つのロゴ識別につきタイプの異なる任意個数のロゴデータを多重伝送可能なデジタルテレビジョン放送システムに用いられる受信装置であって、
前記ロゴデータを前記ロゴ識別、ロゴのタイプごとにモジュール化し、前記モジュール化されたロゴデータを前記MH-CDTの複数のMH-CDTセクションに分配し、前記ロゴデータのタイプと分配先のMH-CDTセクションとの対応関係を示すロゴデータ分配情報と、前記ロゴデータのロゴ識別及びロゴのタイプを含むロゴ管理情報とを示すMH-ロゴ伝送記述子を生成し、前記MH-ロゴ伝送記述子をMH-SDT（Service Description Table）の記述子領域に記述し、前記MH-CDT及びMH-SDTを放送信号に多重して送出する送信装置に対応し、
前記放送信号を受信する受信部と、
前記受信部で受信された放送信号から前記MH-SDTを取得し、取得されたMH-SDTから前記MH-ロゴ伝送記述子を抽出して前記ロゴ管理情報及び前記ロゴデータ分配情報を取得し、取得されたロゴ管理情報及び前記ロゴデータ分配情報に基づいてMH-CDTから所望のタイプのロゴデータが配置された前記複数のMH-CDTセクションを取得し、それぞれの複数のMH-CDTセクションから前記モジュール化されたロゴ識別、ロゴのタイプごとのロゴデータを取得するロゴデータ取得部と
を備えるデジタルテレビジョン放送用受信装置。
【発明の詳細な説明】
【技術分野】
【０００１】
本発明は、デジタルテレビジョン放送システムとその送信装置及び受信装置に関する。
【背景技術】
【０００２】
現在、デジタルテレビジョン放送においては、水平方向画素数が1920または1440、垂直方向画素数が1080のHDTV（High Definition Television）の映像信号が主として利用されているが、さらなる高精細な映像配信が要求されるようになった。このため、HDTVに比較して画面画素数が4倍（3840×2160）の4Kや16倍（7680×4320）の8KのUHDTV（Ultra High Definition Television）による超高精細度テレビジョン放送について標準化が進められている。
【０００３】
ところで、現行の地上デジタルテレビジョン放送では、番組欄で使用するロゴマーク等のサービスロゴデータの伝送にCDT（Common Data Table）と呼ばれるセクション形式のテーブルを適用している。ARIB TR-B14 5.9版第一編の5.4 にはCDT方式の伝送において、section_numberフィールドに関し、「0からlast_section_number で表示される番号までふられたセクションが抜けなく存在する。サービスロゴデータ伝送の場合は、各サイズのロゴをそのlogo_type 値と一致したsection_number のセクションで伝送する。」との記載がある。これは、あるlogo_typeの値を持つロゴデータを伝送する場合には、0 からそのlogo_typeの値までの全てのタイプのロゴデータを1セクション単位で、もれなく伝送することを意味する。
【先行技術文献】
【非特許文献】
【０００４】
【非特許文献１】「地上デジタルテレビジョン放送運用規定」ARIB TR-B14  5.9版      2015年07月03日改定  第一編
【発明の概要】
【発明が解決しようとする課題】
【０００５】
以上述べたデジタルテレビジョン放送におけるロゴデータの伝送方式では、1 セクションを越える大きさの、言い換えれば複数のセクションにまたがる大きさのタイプのロゴデータを伝送することができない、0 以外の必要な値のlogo_type のロゴデータのみを選択して伝送することができない、といった問題点が存在する。このため、デジタルテレビジョン放送の超高精細度化に際して、ロゴデータの運用の拡張性、柔軟性や伝送効率が損なわれている。
【０００６】
この発明の目的は、映像の超高精細度化に際して、ロゴデータの運用を拡張し、柔軟性及び伝送効率を向上させることのできるデジタルテレビジョン放送システムとその送信装置及び受信装置を提供することである。
【課題を解決するための手段】
【０００７】
実施形態に係るデジタルテレビジョン放送システムは、MH-CDT（MH-Common Data Table）の１セクションを超える大きさで、１つのロゴ識別につきタイプの異なる任意個数のロゴデータを多重伝送可能なデジタルテレビジョン放送システムであり、送信系統と受信系統を備える。送信系統は、前記ロゴデータを前記ロゴ識別、ロゴのタイプごとにモジュール化し、モジュール化されたロゴデータを前記MH-CDTの複数のMH-CDTセクションに分配し、前記ロゴデータのタイプと分配先のMH-CDTセクションとの対応関係を示すロゴデータ分配情報と、前記ロゴデータのロゴ識別及びロゴのタイプを含むロゴ管理情報とを示すMH-ロゴ伝送記述子を生成し、前記MH-ロゴ伝送記述子をMH-SDT（Service Description Table）の記述子領域に記述し、前記MH-CDT及びMH-SDTを放送信号に多重して送出する。受信系統は、前記放送信号を受信し、受信された放送信号から前記MH-SDTを取得し、取得されたMH-SDTから前記MH-ロゴ伝送記述子を抽出して前記ロゴ管理情報及び前記ロゴデータ分配情報を取得し、取得されたロゴ管理情報及び前記ロゴデータ分配情報に基づいて所望のタイプのロゴデータが配置された前記MH-CDTセクションを取得し、MH-CDTに分配される複数のMH-CDTセクションから前記モジュール化されたロゴ識別、ロゴのタイプごとのロゴデータを取得する。
【０００８】
実施形態に係るデジタルテレビジョン放送用送信装置は、MH-CDT（MH-Common Data Table）の１セクションを超える大きさで、１つのロゴ識別につきタイプの異なる任意個数のロゴデータを多重伝送可能なデジタルテレビジョン放送システムに用いられ、前記ロゴデータを前記ロゴ識別、ロゴのタイプごとにモジュール化するモジュール化部と、前記モジュール化部でモジュール化されたロゴデータを前記MH-CDTの複数のMH-CDTセクションに分配するMH-CDTセクション化部と、前記ロゴデータのタイプと分配先のMH-CDTセクションとの対応関係を示すロゴデータ分配情報と、前記ロゴデータのロゴ識別及びロゴのタイプを含むロゴ管理情報とを示すMH-ロゴ伝送記述子を生成するMH-ロゴ伝送記述子生成部と、前記MH-ロゴ伝送記述子をMH-SDT（Service Description Table）の記述子領域に記述するMH-SDTセクション化部と、前記MH-CDTセクション化部、前記MH-SDTセクション化部で生成されたMH-CDT及びMH-SDTを放送信号に多重する多重化部とを具備し、前記多重化部で得られた放送信号を送出する。
【０００９】
実施形態に係るデジタルテレビジョン放送用受信装置は、MH-CDT（MH-Common Data Table）の１セクションを超える大きさで、１つのロゴ識別につきタイプの異なる任意個数のロゴデータを多重伝送可能なデジタルテレビジョン放送システムに用いられ、前記ロゴデータを前記ロゴ識別、ロゴのタイプごとにモジュール化し、前記モジュール化されたロゴデータを前記MH-CDTの複数のMH-CDTセクションに分配し、前記ロゴデータのタイプと分配先のMH-CDTセクションとの対応関係を示すロゴデータ分配情報と、前記ロゴデータのロゴ識別及びロゴのタイプを含むロゴ管理情報とを示すMH-ロゴ伝送記述子を生成し、前記MH-ロゴ伝送記述子をMH-SDT（Service Description Table）の記述子領域に記述し、前記MH-CDT及びMH-SDTを放送信号に多重して送出する送信装置に対応し、前記放送信号を受信する受信部と、前記受信部で受信された放送信号から前記MH-SDTを取得し、取得されたMH-SDTから前記MH-ロゴ伝送記述子を抽出して前記ロゴ管理情報及び前記ロゴデータ分配情報を取得し、取得されたロゴ管理情報及び前記ロゴデータ分配情報に基づいてMH-CDTから所望のタイプのロゴデータが配置された前記複数のMH-CDTセクションを取得し、それぞれの複数のMH-CDTセクションから前記モジュール化されたロゴ識別、ロゴのタイプごとのロゴデータを取得するロゴデータ取得部とを備える。
【図面の簡単な説明】
【００１０】
【図１】第１の実施形態に係るデジタルテレビジョン放送システムの放送用送信装置の構成を示すブロック図。
【図２】図１に示す送信装置のロゴデータモジュール化部の処理結果を格納する領域を説明するための図。
【図３】図１に示す送信装置のCDTセクション化部で用いるCDTのデータ構造を示す図。
【図４】図１に示す送信装置のロゴデータ分配記述子のデータ構造を示す図。
【図５】第１の実施形態に係るデジタルテレビジョン放送システムの放送用受信装置の構成を示すブロック図。
【図６】図５に示す受信装置のロゴデータに関する処理動作を説明するためのフローチャート。
【図７】第１の実施形態において、TLV/MMTに適用する場合、および第２の実施形態，第３の実施形態のデジタルテレビジョン放送システムの放送用送信装置の構成を示すブロック図。
【図８】図７に示す送信装置において、MH-ロゴ伝送記述子を拡張したデータ構造を示す図。
【図９】第３の実施形態に係るデジタルテレビジョン放送システムの放送用送信装置の処理動作を説明するためのフローチャート。
【図１０】図９に示す処理動作のdata_module_byteに関するデータ構造を示す図。
【図１１】図９に示す処理動作のdata_module_byteに関する他のデータ構造を示す図。
【発明を実施するための形態】
【００１１】
以下、図面を参照して、本発明の実施の一形態について説明する。
【００１２】
（第１の実施形態）
以下、図１乃至図６を参照して、第１の実施形態に係るデジタルテレビジョン放送システムについて説明する。
【００１３】
図１は本実施形態に係るデジタルテレビジョン放送システムの放送用送信装置の構成を示すブロック図である。この放送用送信装置は、例えばEPG（Electronic Program Guide）等の番組表示欄に使用されるロゴデータとこのロゴデータのロゴを管理するためのロゴ管理情報を入力し、それぞれロゴデータモジュール化部１１、CDTセクション化部１２、ロゴデータ分配記述子生成部１３、ロゴ伝送記述子生成部１４、SDT（Service Definition Table）セクション化部１５を経て、多重化部１６で映像信号や音声信号、PSI（Program Specific Information）やCDT，SDT以外のSI（Service Information）などと共にMPEG-2_TS（Transport Stream）（以下、TS）として多重して、誤り訂正符号化や変調などの伝送路符号化（図示せず）を施した上で放送信号としてサービスエリアに向けて送信する。
【００１４】
ここで、デジタルテレビジョン放送のサービスロゴデータの伝送方式では、ARIB TR-B14の5.4.1.2の規定に基づいて、CDT（Common Data Table）と呼ばれるセクション形式のテーブルを利用し、ロゴのタイプ（logo_type）と伝送するセクションとの対応関係を示すロゴ管理情報を新たな記述子として定義して、ロゴデータと共に伝送する。
【００１５】
通常、放送で使用するロゴは放送チャンネル（service）ごとに異なる。このため、それぞれのロゴデータには受信機で識別し管理するためのロゴ識別（以下、logo_id）が付与される。また、デザインや色が同じで、想定する受信機やその用途などの違いなどによって画素数などが異なる複数の種類のサイズのロゴデータには同一のlogo_idが付与され、それぞれの種類はロゴ種別（以下、logo_type）で区別される。また、logo_idはバージョン番号（以下、logo_version）で更新管理されている。
【００１６】
被伝送ロゴデータは、ロゴ管理情報であるlogo_id、logo_type、logo_versionと共にロゴデータモジュール化部１１に送られる。このロゴデータモジュール化部１１は、入力ロゴデータを圧縮し、logo_id、logo_typeごとに、図２（ARIB TR-B14の5.4.1.2の表５−１５より引用）で規定されるデータ構造のロゴデータモジュールと呼ばれる領域に格納する。このロゴデータモジュールは、data_sizeフィールドが16ビットであるが、CDTセクション内に64kbyteのデータを格納することはできない。
【００１７】
上記ロゴデータモジュール化部１１でロゴデータモジュールはCDTセクション化部１２に送られる。このCDTセクション化部１２は、ロゴデータモジュールをCDTの複数のセクションに分配して多重化部１６に伝送する。ここで、CDTについては、図３（ARIB TR-B14の5.4.1.2の表５−１４から引用）に示されるようなデータ構造を持っている。CDTはダウンロードデータ識別（以下、download_data_id）ごとに識別される。CDTの１つのセクションはsection_lengthフィールドで示される最大4kbyteの大きさであり、CDTは最大２５６個のセクションに分割して伝送可能である。
【００１８】
上記ロゴ管理情報logo_id、logo_type、logo_versionは、ロゴデータ分配記述子生成部１３及びロゴ伝送記述子生成部１４にも送られる。ロゴデータ分配記述子生成部１３は、各ロゴデータについて、logo_typeと分配されるCDTセクションとの対応関係を示すロゴデータ分配記述子を生成してCDTセクション化部１２に送り、CDTの記述子領域に配置する。また、ロゴ伝送記述子生成部１４では、別途、ロゴ伝送種別（logo_transmission_type）でCDT伝送方式１を指定した場合には0x01を設定し、ロゴ識別（logo_id）やロゴバージョン番号（logo_version）のロゴデータ管理情報とともに、ダウンロードデータ識別（download_data_id）を付与してロゴ伝送記述子を生成する。ここでのdownload_data_idはＣＤＴのdownload_data_idと同じ値を設定することで、ある放送チャンネル（service）に対応する、CDT伝送のロゴデータを特定することが可能になる。SDTセクション化部１５では放送チャンネルを特定するservice_idごとにロゴ伝送記述子をSDTの記述子領域に配置して多重化部１６に伝送し、CDTのセクションデータと共にＴＳ多重する。
【００１９】
さて、ロゴデータモジュールに格納されるlogo_typeごとのデータの大きさが１セクションの大きさ4kbyte以内に収まる場合には、セクション１個を使って伝送することができる。しかしなから、例えば4K，8K放送のように、画素数が大きなロゴデータを伝送する場合には、4kbyteを超える可能性がある。また、超高精細度デジタル放送では、地上デジタル放送で使用していたlogo_typeのうち、画素数が小さいものは使用せず、ある程度大きなタイプのロゴだけを選択して、任意の順番で伝送したい場合も考えられる。これらの理由から、地上デジタル放送の運用規定で決められていた「各サイズのロゴをそのまま「logo_type」値と一致したsection_numberのセクションで伝送する。」というルールを使用することができない。そこで、本実施形態では、こうした場合にもCDTで伝送可能なようにロゴデータ分配記述子を定義する。このロゴデータ分配記述子のデータ構造は、例えば図４に示すようになる。
【００２０】
logo_typeで識別されるロゴデータモジュールは、連続するセクション番号を持つCDTセクションに分割して伝送するものとして、その最初のセクション番号をstart_section_numberフィールドに記載し、そのロゴデータモジュールを伝送するセクション分割数をnumbers_of_sectionsフィールドに記載する。例えば、２種類のlogo_typeのロゴデータを伝送することとし、logo_type=0x05の1000byteのロゴデータをセクション番号0で、10000byteのロゴデータのlogo_typeを仮に0x06として、4000byte，4000byte，2000byteの計３セクションに分割してセクション番号１から順に伝送する。この場合は、
logo_type=0x05、start_section_number=0x00、numbers_of_sections=0x01  
logo_type=0x06、start_section_number=0x01、numbers_of_sections=0x03  
と記載すればよい。そして、このロゴデータ分配記述子はCDTの記述子領域に配置して伝送する。これら一連のロゴデータの送出系統は図１に示した通りである。
【００２１】
これに対して、対応する放送用受信装置では、所望の放送チャンネル（service）のロゴデータについて、SDTの記述子領域にロゴ伝送記述子が配置されていることを検知すれば、当該serviceのCDTが伝送されていると判断し、指定のdownload_data_idを参照して、まずは任意の当該CDTセクションを取得する。このように、取得したCDTセクションに記載されたロゴデータ分配記述子を解析することで、どのlogo_typeのロゴデータがどのセクション番号のセクション（群）で伝送されているが把握することができる。そして、次に必要なlogo_typeのセクション番号をフィルタリングするように設定することで、当該ロゴデータを効率的に取得することが可能になる。
【００２２】
次に、上記放送用受信装置の構成について説明する。図５は、放送用受信装置の構成を示すブロック図である。図５に示すように、放送用受信装置は、伝送路復号部２０１、モジュールI／F部２０２、セクション処理部２０３、TS処理部２０４、映像復号部２０５、音声復号部２０６、OSD処理部２０７（OSD：On-Screen Display）、通信I／F部２０８、操作部２０９、NVRAM２１０（NVRAM：Non-Volatile RAM）、ROM２１１（ROM：Read Only Memory）、RAM２１２（RAM：Random Access Memory）、CPU２１３（CPU：Central Processing Unit）、デスクランブラ２１４、記憶部２１５を備え、各部はバス２１６により接続される構成である。
【００２３】
伝送路復号部２０１は、受信アンテナ（図示しない）より受信された放送信号を復調処理や誤り訂正復号処理し、トランスポートストリームTSを得る。TS処理部２０４は、トランスポートストリームTSとしてパケット多重化された情報を分離して、映像信号や音声信号などを抽出する処理を行う。また、セクション処理部２０３は、TS処理部２０４と連携してトランスポートストリームTSから多重分離されたPSI（Program Specific Information）やSI（Service Information）、さらにはCDTなどのセクション形式の関連情報の抽出処理を実施する。例えば、フィルタリング条件を設定することで、一般に複数のセクションから構成されるEITやCDTなどから特定のセクション番号のセクションだけを抽出することも可能である。
【００２４】
映像復号部２０５は、TS処理部２０４から出力された映像信号を復号し、復号した映像信号をOSD処理部２０７へ出力する。音声復号部２０６は、TS処理部２０４から出力された音声信号を復号し、復号した音声信号を音声出力装置２２１へ出力する。音声出力装置２２１は、アンプやスピーカなどを備えた音響機器であり、音声復号部２０６より出力された音声信号に応じた音声再生を行う。OSD処理部２０７は、CPU２１３の制御のもと、映像復号部２０５より出力された映像信号に所定のOSD処理を施し、表示装置２２２へ出力する。表示装置２２２は、LCD（Liquid Crystal Display）等であり、出力された映像信号に基づいた画面表示を行う。例えば、表示装置２２２は、多重化されたトランスポートストリームTS1から分離されたSIに含まれる放送チャンネル情報記載のSDTや番組情報記載のEITをもとに、EPG等の画面表示を行う。
【００２５】
通信I／F部２０８は、CPU２１３の制御のもと、所定の通信プロトコルによる通信ネットワーク４とのデータ通信を行うインターフェースである。操作部２０９は、操作キーやリモートコントローラなどであり、ユーザの操作入力を受け付ける。NVRAM２１０は、各種設定情報を記憶する。例えば、NVRAM２１０には、放送受信装置２が取り扱い可能なコンテンツのフォーマットなどが設定情報として記憶される。
【００２６】
ROM２１１は、CPU２１３が実行するプログラムなどを記憶する。RAM２１２は、CPU２１３がプログラムを実行する際の作業領域を提供する。また、RAM２１２は、多重化されたトランスポートストリームTS1から分離されたSIに含まれるEIT情報を一時記憶する領域なども提供する。CPU２１３は、ROM２１１に記憶されたプログラムをRAM２１２の作業領域に展開して順次実行することで、放送受信装置２の動作を中央制御する。
【００２７】
モジュールI／F部２０２は、限定受信などにかかる暗号鍵情報が格納されたセキュリティモジュール２２０と接続するインターフェースである。
【００２８】
デスクランブラ２１４は、セキュリティモジュール２２０に記憶された暗号鍵情報をもとに、受信したトランスポートストリームTS1においてスクランブルされているペイロード部をデスクランブルする。このデスクランブラ２１４によるデスクランブルにより、放送受信装置２では、EMMやECMを用いた限定受信に対応する。記憶部２１５は、HDD等の大容量記憶媒体であり、例えば受信したコンテンツなどを記憶する。
【００２９】
次に、CPU２１３の制御の下で実行される放送用受信装置のロゴデータに関する処理動作について、図６に示すフローチャートに沿って説明する。
【００３０】
まず、放送信号を受信すると（ステップＳ１１）、放送信号を復調してSDTを取得する（ステップＳ１２）。ここで、所望の放送チャンネル（service）のロゴデータについて、取得したSDTからロゴ伝送記述子の有無を繰り返し判断し（ステップＳ１３）、SDTにロゴ伝送記述子の記述がある場合には（ＹＥＳ）、そのロゴ伝送記述子からさらに未受信のロゴが有るか判断する（ステップＳ１４）。ステップＳ１４の判断結果に基づいて、指定serviceのいずれかのsection_numberのCDTセクションを取得し（ステップＳ１５）、取得したCDTセクションからロゴデータ分配記述子を取り出して解析する（ステップＳ１６）。その解析結果に基づいて、指定serviceの所望のlogo_type用のsection_numberのCDTセクションを取得し（ステップＳ１７）、取得したCDTセクションよりロゴデータを取得して（ステップＳ１８）、一連の処理を終了する。
【００３１】
すなわち、上記処理手順によれば、どのlogo_typeのロゴデータがどのセクション番号のセクション（群）で伝送されているが把握することができるので、次に必要なlogo_typeのセクション番号をフィルタリングするように設定することで、当該ロゴデータを効率よく取得することができる。
【００３２】
以上のように、第１の実施形態では、セクション形式のロゴデータ伝送において、伝送するロゴデータについてロゴのタイプと伝送するセクションとの対応関係を示すロゴデータ分配記述子を指定して送出するようにしているので、ロゴデータのサイズに依存せず、必要なタイプのロゴデータを必要な数だけ選択して、任意の順序で効率的に伝送することが可能になる。
【００３３】
なお、この実施形態では、現行の地上放送等で採用されているMPEG-2 TSに基づくCDTを使って説明したが、今後の高度BSで採用が想定されるTLV（Type Length Value）/MMT（MPEG Media Transport）に基づくMH-CDTに適用してもよい。ただし、TLV（Type Length Value）/MMT（MPEG Media Transport）の場合には、MPEG-2 TSと比較して、ブロックや処理に対して以下のような違いがある。なお、MH-については、ARIB STD-B60の「参考１  本標準規格に記載の制御情報の構成」に「なお、ARIB STD-B10 に規定されるテーブル、記述子で、同機能を持ちながらMMT を用いる放送システムで用いるようテーブル識別子や記述子タグ値などを修正したものは、名称の先頭にMPEG-H を意味する「MH-」を付加することで、元のテーブル、記述子と区別している。」と説明されている。
【００３４】
TLV/MMTのMH-CDTセクションはMPEG-2 TSのCDTセクションに相当し、TLV/MMTのMH-SDTセクションはMPEG-2 TSのSDTセクションに相当し、TLV/MMTのMH-ロゴ伝送記述子はMPEG-2 TSのロゴ伝送記述子に相当する。
【００３５】
上記MH-CDTのデータ構造についてはARIB STD-B60の7.3.3.10に記載がある。この場合には、例えば、図２のロゴデータ分配記述子のタグフィールド（descriptor_tag）のビット数を16ビットにしてもその本質をなんら変更するものではない。
【００３６】
（第２の実施形態）
以下、第２の実施形態として、上記TLV/MMTの場合の放送用送信装置について説明する。図７はその構成を示すもので、ロゴデータとこのロゴデータのロゴを管理するためのロゴ管理情報を入力し、それぞれロゴデータモジュール化部２１、MH-CDTセクション化部２２、MH-ロゴ伝送記述子生成部２３、MH-SDTセクション化部２４を経て、MMT多重化部２５で映像信号や音声信号などと共に多重して、誤り訂正符号化や変調などの伝送路符号化（図示せず）を施した上で放送信号としてサービスエリアに向けて送信する。
【００３７】
具体的には、被伝送ロゴデータは、ロゴ管理情報であるlogo_id、logo_type、logo_versionと共にロゴデータモジュール化部２１に送られる。このロゴデータモジュール化部２１は、入力ロゴデータをlogo_id、logo_typeごとにロゴデータモジュールと呼ばれる領域に格納する。上記ロゴデータモジュール化部２１でロゴデータモジュールはMH-CDTセクション化部２２に送られる。このMH-CDTセクション化部２２は、ロゴデータモジュールをMH-CDTの複数のセクションに分配してMMT多重化部２５に伝送する。ここで、MH-CDTについてはdownload_data_idごとに識別される。MH-CDTセクション化部２２のロゴデータ分配情報はMH-ロゴ伝送記述子生成部２３に送られる。
【００３８】
上記ロゴ管理情報logo_id、logo_type、logo_versionは、MH-ロゴ伝送記述子生成部２３にも送られる。このMH-ロゴ伝送記述子生成部２３では、別途、ロゴ伝送種別（logo_transmission_type）でCDT伝送方式１を指定した場合には0x01を設定し、ロゴ識別（logo_id）やロゴバージョン番号（logo_version）のロゴデータ管理情報とともに、ダウンロードデータ識別（download_data_id）を付与してロゴ伝送記述子を生成する。ここでのdownload_data_idはMH-CDTのdownload_data_idと同じ値を設定することで、ある放送チャンネル（service）に対応する、MH-CDT伝送のロゴデータを特定することが可能になる。ここで、MH-ロゴ伝送記述子生成部２３では、MH-CDTセクション化部２２からのロゴデータ分配情報を受け取り、MH-ロゴ伝送記述子において、ロゴデータ分配情報の内容を拡張する。
【００３９】
MH-SDTセクション化部２４では、放送チャンネルを特定するservice_idごとにMH-ロゴ伝送記述子をMH-SDTの記述子領域に配置してMMT多重化部２５に伝送し、MH-CDTのセクションデータと共に多重する。
【００４０】
図１に示した第１の実施形態の構成との本質的な違いは、ロゴデータ分配情報を記述子として新規定義してMH-CDT内の記述子領域に記載する代わりに、MH-SDT記載のMH-ロゴ伝送記述子を拡張して記載することにある。この拡張の様子を図８に示す。
【００４１】
この構成によれば、MH-SDTに記載することで、MH-CDT取得前にロゴデータ分配情報が取得できるため、受信機側では、まずMH-CDTのセクションをどれか１つ取得してロゴデータ分配記述子を確認するという図８で言えばＳ１５のステップが不要となり、必要なlogo_typeのロゴデータをより効率的に取得することが可能になる。
【００４２】
なお、本実施形態の処理については、第１の実施形態のMPEG-2 TS方式の場合にも適用可能である。
【００４３】
（第３の実施形態）
第３の実施形態は、第２の実施形態と同様の送出装置により実現できる。ただし、ロゴデータ分配情報をMH-ロゴ伝送記述子に挿入しない。ロゴデータ分配情報をあらかじめ運用規定により固定的に決めておく、あるいは、MH-CDTのdata_module_byteに追加挿入を行う。
【００４４】
高度広帯域衛星デジタル放送では、３種類のサイズパターンに対するlogo_typeが定義されている。一つは「2K」で、地上デジタル放送で定義されている「HDラージ」と同じものである。あとの二つは、4K画面への表示を想定した「スモール」と8K画面への表示を想定した「ラージ」であり、「2K」と比較して、縦・横のドット数がそれぞれ２倍、４倍となっている。また、「スモール」，「ラージ」のロゴでは、同時に使用する色数は制限されるものの、ＲＧＢ各8ビットフルカラーの色を使用できるようにするため、カラーパレットも伝送することになっている。このため、ロゴデータサイズの上限が大きくなっている。
【００４５】
「2K」ロゴはサイズの上限が地上デジタル放送の「HDラージ」のときと同じ1152バイトであり、１つのMH-CDTで送ることが可能だが、「スモール」は8000byte，「ラージ」は16000byteが上限と想定されており、１つのMH-CDTでは送ることができない。このため、ロゴデータを複数のMH-CDTで伝送するための規定が新たに必要となる。以下、第３の実施形態として、ロゴデータを複数のMH-CDTで伝送するための手法を説明する。
【００４６】
図９に第３の実施形態に係る処理の流れを示す。図９において、ロゴデータの入力を待機し（ステップＳ２１）、ロゴデータの入力があった場合には、logo_typeが2K，ラージ，スモールのいずれを示しているかを判断し、logo_type毎にロゴデータを分配するsection_numberの値を設定する（ステップＳ２２）。続いて、MH-CDTの最大容量を考慮して、ロゴデータを分割してMH-CDTセクションのdata_module_byteに配置情報と共に設定し（ステップＳ２３）、一連の処理を終了する。
【００４７】
すなわち、本実施形態では、data_module_byteの定義の変更など運用規定だけの変更により、1セクションに収まらない大きなサイズのサービスロゴをMH-CDTで伝送するものである。したがって、MH-CDTではない新たなデータ構造とする、あるいは、MH-CDTに挿入する新たな記述子を記述する、MH-ロゴ伝送記述子の定義を変更するといった目的で、ARIB標準規格に追加や変更を行う必要がない。
【００４８】
以下、本実施形態の具体的な処理について、実施例１〜５を説明する。
【００４９】
［実施例１］
図１に示すロゴデータモジュール化部１１において、地上デジタル放送のdata_module_byteのシンタックスに対して、該当logo_typeのロゴのバイト数、つまり、各セクションに分割して入れられたデータの合計サイズとして、「total_logo_size」というフィールドを追加する。その例を図１０に示す。また、地上デジタル放送で「各サイズのロゴをそのlogo_type 値と一致したsection_number のセクションで伝送する。」と規定されていた代わりに、logo_type毎に使用するsection_number値を固定して使用するように運用規定にて規定を行う。ここでは仮に  
2K        0  
ラージ    1〜4  
スモール  5〜6  
とする。また、4000byte毎にロゴデータを分割して、data_byteに格納することにする。このように決めることで、各logo_typeのロゴを受信するために取得するセクションのsection_numberの範囲が受信したMH-CDT内の情報を利用することなく事前に分かるようになる。例えばスモールのロゴだけ欲しい場合には、section_numberが0から6のセクションを全て取得した上で、data_module_byte中のlogo_typeを判断してsection_numberが5と6のセクションが該当すると判断するのではなく、section_numberが5と6のセクションだけを取得すればよいようになる。
【００５０】
また、total_logo_sizeを追加して分割サイズを決めたことにより、logo_typeで決められたsection_numberのセクションを全て受信しなくてもよいことが判断できるようになる。例えば、ラージのロゴでtotal_logo_sizeが10000 byteであれば、section_number が1から4のセクションのdata_sizeがそれぞれ順番に、4000byte，4000byte，2000byte，0byteであると分かり、section_number=4のセクションを取得不要だと分かる。また同様に、section_number=5のセクションを取得してtotal_logo_sizeが4000byte以下であれば、section_number=6のセクションを取得不要だと分かる。
【００５１】
ここでは、例としてロゴタイプの値の順番にsection_numberの値を割り当てたが、この順番でなくてもよい。
【００５２】
また、ここでは、例として分割サイズを4000byteとしたが、別の値でもよい。例えば分割サイズを4070byteとして、total_logo_sizeが10000byteのロゴを4070 byte，4070 byte，1860 byte，0 byteと分割してもよい。
【００５３】
また、ここでは例としてtotal_logo_sizeをdata_module_byteに追加して分割サイズを決めるようにしたが、分割サイズは決めずに、data_module_byteに続きがあるかどうかの情報を追加してもよいし、分割サイズも決めたうえで続きがあるかどうかなど他の情報を更に追加してもよい。
【００５４】
［実施例２］
ストリームの中でセクションはどの順番に送られているかわからず、また、１つのセクションが取得できてから次のセクションを取得するためのセクションフィルタの設定をし直している間に、未取得のセクションを取り損なうことがあり、１つのセクションが取得できてから次のセクションを取得するようにしていると、所望のセクションを全て取得するまでの時間が長くなってしまうことが考えられる。また、同時にセクションフィルタの設定を行うことで、取得時間の短縮を図ることができるが、セクションフィルタのリソースを多く消費してしまう。
【００５５】
これを回避する手段として、セクションフィルタの条件にマスク指定することが考えられる。
【００５６】
一部のビットについては0，1どちらの値であっても、セクションを取得する機能である。section_numberのマスク指定について、0として指定するビットを0，1として指定するビットを1、0でも1でもよいビットをxで表すこととする。
【００５７】
ラージのロゴは最大4セクション、スモールのロゴは最大2セクションであり、ラージのロゴでは2ビット、スモールのロゴでは1ビットでマスクすると効率がよい。そこで、ラージのロゴのsection_numberのマスク指定を000001xx（00000100，00000101，00000110，00000111）、スモールのロゴのsection_numberのマスク指定を0000001x（00000010，00000011）とする。このようにすると、使用するsection_number値は  
スモール    2〜3
ラージ      4〜7
となる。加えて
2K          0
とする場合、section_number=1のセクションは不要となる。
【００５８】
通常、section_numberは0からlast_section_numberまで抜けなく配置されるが、EIT[schedule]（およびMH-EIT[schedule]）では、例外として途中のセクションが抜けることのある運用となっている。そこで、MH-CDTについてもsection_number=1のセクションを送らないという例外運用を行うように規定すれば、section_numberが0と2〜7の7つのセクションで、各logo_typeのロゴデータを伝送することができる。
【００５９】
ここでは、例としてsection_number=1が不要としたが、section_number=0を不要セクションとしてsection_numberが1〜7の7つのセクションで、各logo_typeのロゴデータを伝送してもよい。
【００６０】
［実施例３］
実施例２と同様のマスク指定をする場合に、無効なデータであることを示すことができれば、途中のセクションを送らないような例外運用を行わなくても、実現することができる。
【００６１】
例えば、logo_typeとして今後も0xFFの値を使わないことに決めて、data_module_byteのlogo_typeの値が0xFFだった場合には無効データであると判断するという規定を行うことで実現可能となる。必要なsection_numberのセクションのみを取得する受信機の場合には、このセクションは取得しないので、処理に影響はない。セクションフィルタのマスク機能で全てのsection_numberのセクションを取得する受信機の場合には、無効データであると判断して破棄するようにすればよい。
【００６２】
［実施例４］
あるいは、実施例２と同様のマスク指定をする場合に、１つのセクションについてはロゴデータ自体を送るものではなく、別の情報を伝送するために使用することも可能である。
【００６３】
2Kのロゴはsection_number=1で伝送することにして、section_number=0では別の情報を伝送することにして、section_number=0は特殊データ、section_number 1〜7はロゴデータを伝送するために使うことができる。
【００６４】
例えば、section_number=0の場合のdata_module_byteを図１１に示すようにして、各セクション番号でどのlogo_typeのロゴデータを送っているのか、つまりロゴデータ分配情報を示すことが可能である。図１１の例では、logo_typeの数であるnumber_of_logo_typeだけループをまわして、各logo_typeで使用するsection_number（start_section_number + j）ごとのロゴデータのバイト数を指定できるようにしている。
【００６５】
［実施例５］
図１１に示すようなdata_module_byteをsection_number=0で伝送するようにしておくと、運用規定で各logo_typeで使用するsection_numberの範囲を固定していない場合でも、section_number=0を取得後に所望のlogo_typeのsection_numberのセクションを取得するという二段階を踏めば、所望のlogo_typeのサービスロゴを取得することが可能となる。二段階踏むことで所望のロゴを取得するための時間は長くなる可能性があるものの、将来新たにlogo_typeが追加された場合にも対応が可能となる。
【００６６】
section_numberの範囲を運用規定で固定しない場合について、logo_typeで使用するセクション数は最大に固定してもよいし、ロゴデータのサイズによって可変にしてもよい。
【００６７】
以上のように、第３の実施形態では、data_module_byteの定義やsection_numberの割り当てルールを変更することで、MH-CDTではない新たなデータ構造、あるいは、MH-CDTに挿入する新たな記述子をARIB標準規格で追加定義したり、ARIB標準規格のMH-ロゴ伝送記述子の定義を変更したりすることなく、1セクションに収まらない大きなサイズのサービスロゴをMH-CDTで伝送することが可能となる。
【００６８】
また、実施例１〜４では、地上デジタル放送と同様に、所望のlogo_typeのsection_numberのセクションだけを取得することが可能である。また、実施例２〜４では、section_numberをマスクしてセクションフィルタを設定することにより、ラージのロゴ，スモールのロゴの取得を、効率よく行うことが可能である。また、実施例５では、将来新たにlogo_typeが追加された場合にも対応が可能である。
【００６９】
なお、実施形態において、CDT、MH-CDTを共通データテーブル情報と総称し、SDT、MH-SDTをサービス記述テーブル情報と総称し、ロゴ伝送記述子、MH-ロゴ伝送記述子をロゴ伝送記述子と総称するものとする。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１１…ロゴデータモジュール化部、１２…CDTセクション化部、１３…ロゴデータ分配記述子生成部、１４…ロゴ伝送記述子生成部、１５…SDTセクション化部、１６…多重化部、２１…ロゴデータモジュール化部、２２…MH-CDTセクション化部、２３…MH-ロゴ伝送記述子生成部、２４…MH-SDTセクション化部、２５…MMT多重化部、２２０１…伝送路復号部、２０２…モジュールI／F部、２０３…セクション処理部、２０４…ＴＳ処理部、２０５…映像復号部、２０６…音声復号部、２０７…OSD処理部、２０８…通信I／F部、２０９…操作部、２１０…NVRAM、２１１…ROM、２１２…RAM、２１３…CPU、２１４…デスクランブラ、２１５…記憶部、２１６…バス。
【図１】
2019186948.tif 000003
【図２】
2019186948.tif 000004
【図３】
2019186948.tif 000005
【図４】
2019186948.tif 000006
【図５】
2019186948.tif 000007
【図６】
2019186948.tif 000008
【図７】
2019186948.tif 000009
【図８】
2019186948.tif 000010
【図９】
2019186948.tif 000011
【図１０】
2019186948.tif 000012
【図１１】
2019186948.tif 000013